(57)【要約】【課題】護岸構造において、護岸構造物の移動に対して追従性を確保することで遮水性能の向上を図ると共に、護岸構造物の目地間に充填される不透水性遮水材のせん断強さを有効に発揮させて護岸構造物の目地部のせん断強さの向上を図る。【解決手段】海底地盤２１上に複数のケーソン１２を列設し、このケーソン１２同士を目地部１３を用いて接合することで構築した護岸１１にて、各ケーソン１２同士が互いに対向するケーソン１２の側面に内側に湾曲した凹部３１を形成し、この凹部３１同士が対向することで形成された拡大空間部３４にアスファルトマスチック３６を充填した目地部１３を形成する。【選択図】        図１
2005042307.tif 000002
【特許請求の範囲】
【請求項１】
海底地盤上に複数のケーソンやＬ型ブロックなどの護岸構造物を列設して構成した護岸構造において、前記護岸構造物同士が互いに対向する側面に凹部が設けられたことを特徴とする護岸構造。
【請求項２】
請求項１記載の護岸構造において、前記護岸構造物の目地部は、前端部及び後端部に位置して前記護岸構造物の側面同士が接近する前後の狭隘空間部と、該前後の狭隘空間部の間に位置して前記護岸構造物の側面同士が離間する拡大空間部とを有することを特徴とする護岸構造。
【請求項３】
請求項２記載の護岸構造において、前記狭隘空間部に充填材漏洩防止部材が介装され、前記拡大空間部にアスファルト混合物、粘土、モルタル、コンクリート、土質系遮水材のうちの一つ、また、複数組み合わせた不透水性遮水材料が充填されたことを特徴とする護岸構造。
【請求項４】
請求項１記載の護岸構造において、前記凹部は、前記護岸構造物の側面が湾曲して形成されていることを特徴とする護岸構造。
【請求項５】
請求項１記載の護岸構造において、前記凹部は、その表面に複数の小凹部あるいは小凸部が形成されていることを特徴とする護岸構造。
【請求項６】
請求項１記載の護岸構造において、前記凹部は、前記護岸構造物の側面に複数設けられていることを特徴とする護岸構造。
【請求項７】
請求項１記載の護岸構造において、前記護岸構造物の対向する各側面に対して、前記凹部が対称形状に設けられていることを特徴とする護岸構造。
【発明の詳細な説明】
【０００１】
【発明の属する技術分野】
本発明は、海底地盤上に複数のケーソンやＬ型ブロックなどの護岸構造物を列設して護岸を構築する際、隣接する護岸構造物同士を接合するための護岸構造に関する。
【０００２】
【従来の技術】
港湾などにて廃棄物を埋め立て処分場工事を行う場合、所定の領域における海底地盤上に複数の護岸構造物を連続して直列に設置し、この各護岸構造物により埋め立てを行う領域を囲み、各護岸構造物同士を接合して護岸を構築し、この護岸に囲まれた領域に土砂や廃棄物を搬入して行っている。
【０００３】
そして、このような護岸工事では、埋め立てのための土砂が海域に流出しないように、護岸構造物同士を接合する目地部に高い遮水性能が要求されている。従来の護岸構造としては、下記に示す特許文献１に開示された技術がある。この特許文献１の「ケーソン用目地材およびその施工法」は、一端部が閉塞して他端部が開放した中空長筒の空気を抜いて平坦に潰したロール状に巻回したケーソン用目地材を工事現場まで搬送し、このケーソン用目地材をケーソンの壁面に取付けた後、ケーソンを海底に設置し、内部に充填材を注入することで膨出して隣接するケーソンの端面に密着させてシールし、ケーソン用目地材内にアスファルトやモルタルなどの充填材を充填するものである。
【０００４】
【特許文献１】
特公平０７−０１３３６５号公報
【０００５】
【発明が解決しようとする課題】
この護岸工事では、上述したように、埋立地内の土砂や廃棄物が外部の海域に流出しないようにケーソン目地部に高い遮水性能が要求されており、この護岸内に廃棄物を投入して埋め立てを行った場合には、汚染物質の外部漏洩を防止するために更に高精度の遮水性能が要求される。そして、このような埋立地では、地震などの地盤沈下によりケーソンが位置ずれを発生することがあり、ケーソンがずれても目地部に隙間が発生しないことが重要な要件となっている。
【０００６】
ところが、上述した従来の「ケーソン用目地材およびその施工法」にあっては、中空長筒のケーソン用目地材の内部にアスファルトやモルタルなどの充填材を注入膨出してケーソンの端面に圧接することでシール性を確保している。そのため、設置されたケーソンが上下や前後にずれた場合、ケーソン用目地材がケーソンに追従することができず、隙間が発生する虞がある。特に、海底地盤の移動により隣接するケーソン同士離間した場合には、ケーソンの端面とケーソン用目地材との間に隙間が発生しやすく、土砂や汚染物質の外部漏洩を防止することが困難となる。
【０００７】
本発明はこのような問題を解決するものであって、護岸構造物の移動に対して追従性を確保することで遮水性能の向上を図ると共に、護岸構造物の目地間に充填される不透水性遮水材のせん断強さを有効に発揮させて護岸構造物の目地部のせん断強さの向上を図った護岸構造を提供することを目的とする。
【０００８】
【課題を解決するための手段】
上述の目的を達成するための請求項１の発明の護岸構造は、海底地盤上に複数のケーソンやＬ型ブロックなどの護岸構造物を列設して構成した護岸構造において、前記護岸構造物同士が互いに対向する側面に凹部が設けられたことを特徴とするものである。
【０００９】
請求項２の発明の護岸構造では、前記護岸構造物の目地部は、前端部及び後端部に位置して前記護岸構造物の側面同士が接近する前後の狭隘空間部と、該前後の狭隘空間部の間に位置して前記護岸構造物の側面同士が離間する拡大空間部とを有することを特徴としている。
【００１０】
請求項３の発明の護岸構造では、前記狭隘空間部に充填材漏洩防止部材が介装され、前記拡大空間部にアスファルト混合物、粘土、モルタル、コンクリート、土質系遮水材のうちの一つ、また、複数組み合わせた不透水性遮水材料が充填されたことを特徴としている。
【００１１】
請求項４の発明の護岸構造では、前記凹部は、前記護岸構造物の側面が湾曲して形成されていることを特徴としている。
【００１２】
請求項５の発明の護岸構造では、前記凹部は、その表面に複数の小凹部あるいは小凸部が形成されていることを特徴としている。
【００１３】
請求項６の発明の護岸構造では、前記凹部は、前記護岸構造物の側面に複数設けられていることを特徴としている。
【００１４】
請求項７の発明の護岸構造では、前記護岸構造物の対向する各側面に対して、前記凹部が対称形状に設けられていることを特徴としている。
【００１５】
【発明の実施の形態】
以下、図面に基づいて本発明の実施の形態を詳細に説明する。
【００１６】
図１に本発明の第１実施形態に係る護岸構造を表す護岸の断面（図２のＩ−Ｉ断面）、図２に図１のＩＩ−ＩＩ断面、図３に第１実施形態の護岸構造を適用した護岸の平面視を示す。
【００１７】
第１実施形態の護岸構造において、図３に示すように、護岸１１は、所定の海域に複数の護岸構造物としてのケーソン１２を直列に連続して設置し、各ケーソン１２同士を目地部１３により接合して構成されている。そして、この護岸１１を矩形状に構築することで、外部の海域Ａに対して廃棄物や土砂により埋め立てる埋立地Ｂを区画することができる。
【００１８】
そして、この護岸１１にて、図２に示すように、海底地盤２１の所定位置に地盤改良部２２が形成され、この地盤改良部２２上に所定高さの基礎捨石層２３が形成され、この基礎捨石層２３上にアスファルトマット２４を敷設してケーソン１２が設置されている。そして、このケーソン１２の両側にアスファルトマスチック層２５，２６が海底地盤２１とほぼ同様に高さに形成され、ケーソン１２における埋立地Ｂ側の平面部に遮水シート２７が取付けられると共に、遮水シート２７と下部とアスファルトマスチック層２６との隙間を覆うようにアスファルトマスチック製のシール部材２８が固定されている。
【００１９】
また、図１及び図２に示すように、護岸１１の目地部１３にて、ケーソン１２は左右の側面に内側に湾曲した凹部３１が上下方向に沿って形成されると共に、この凹部３１の前後に平坦面３２が同じく上下方向に沿って形成されている。そのため、このケーソン１２の側面同士が互いに対向して設置されることで、前端部及び後端部に位置する平坦面３２同士が接近して対向する前後の狭隘空間部３３が形成されると共に、この狭隘空間部３３の間に位置する凹部３１同士が離間して対向する拡大空間部３４が上下方向に沿って形成される。この場合、目地部１３にて、ケーソン１２の凹部３１は左右対称形状をなすこととなる。
【００２０】
そして、各狭隘空間部３３にゴム管（充填材漏洩防止部材）３５が上下に沿ってそれぞれ各平坦面３２に密着するように介装され、拡大空間部３４にアスファルトマスチック（不透水性遮水材料）３６が充填されている。更に、各狭隘空間部３３には、ゴム管３５の外側にコンクリート３７が打設され、隣接ケーソン１２同士の表面部を連結するように塞ぎ板３８が固定されている。
【００２１】
ここで、本実施形態の護岸構造を用いた護岸１１の構築方法について説明する。
【００２２】
図１乃至図３に示すように、まず、護岸１１を構築する領域の海底を地盤改良して海底地盤２１に地盤改良部２２を形成し、この地盤改良部２２上に所定高さの基礎捨石層２３を形成し、この基礎捨石層２３上にアスファルトマット２４を敷設してからケーソン１２を設置する。このケーソン１は、埋立地Ｂを囲うように、複数直列に連続して設置する。
【００２３】
次に、各ケーソン１２の側面同士が互いに対向して設置された状態で、ケーソン１２の目地部１３における前後の狭隘空間部３３に所定長さのゴム管３５をその上下方向に沿って各平坦面３２に密着するように介装する。この場合、ゴム管３５の下端部がアスファルトマット２４に密着するように配設する。そして、この状態で、凹部３１同士が対向して形成された拡大空間部３４に、その上方から溶融状態にあるアスファルトマスチック３６を充填する。このとき、拡大空間部３４の前後の狭隘空間部３３にはゴム管３５が介装され、下方には、アスファルトマット２４が敷設されているため、溶融したアスファルトマスチック３６が外部に漏洩することはない。
【００２４】
続いて、目地部１３における各狭隘空間部３３にて、各ゴム管３５の外側にコンクリート３７を打設した後、隣接ケーソン１２同士の表面部を塞ぎ板３８により連結する。そして、目地部１３により連続して接合された各ケーソン１２の両側にアスファルトマスチック層２５，２６を海底地盤２１とほぼ同様に高さに充填し、ケーソン１２における埋立地Ｂ側の平面部に遮水シート２７を取付けてから、この遮水シート２７と下部とアスファルトマスチック層２６との隙間を覆うようにシール部材２８を固定する。
【００２５】
最後に、各ケーソン１２の中空部１２ａに土砂などを充填した後、蓋部材１２ｂを固定して閉塞し、この蓋部材１２ｂの上部に縦壁１２ｃを形成することで、護岸１１を構築することができる。
【００２６】
このように第１実施形態の護岸構造にあっては、海底地盤２１上に複数のケーソン１２を列設し、このケーソン１２同士を目地部１３を用いて接合することで構築した護岸１１にて、各ケーソン１２同士が互いに対向するケーソン１２の側面に内側に湾曲した凹部３１を形成し、この凹部３１同士が対向することで形成された拡大空間部３４にアスファルトマスチック３６を充填した目地部１３を形成している。
【００２７】
従って、隣接するケーソン１２同士は、側面に凹部３１が設けられているためにこの拡大空間部３４に従来より多量のアスファルトマスチック３６が充填されることで、距離Ｌの長いアスファルトマスチック層により接合されることとなる。このアスファルトマスチック３６は、充填して固化した後も十分な弾性力が確保されるものであり、地盤沈下等により隣接するケーソン１２が上下方向、前後方向、左右方向にずれても、このアスファルトマスチック３６はケーソン１２の側面に密着したままその移動に対して伸縮して追従することとなり、護岸１１の遮水性能を向上することで、土砂や汚染物質等の外部漏洩を確実に防止することができる。
【００２８】
また、隣接するケーソン１２の側面に、アスファルトマスチック３６が充填される拡大空間部３４の前後に位置して平坦部３２を形成して狭隘空間部３３を設け、この狭隘空間部３３にゴム管３５を各平坦面３２に密着するように介装しており、拡大空間部３４に充填されるアスファルトマスチック３６の漏れを阻止して拡大空間部３４にアスファルトマスチック３６を隙間なく充填することができる。
【００２９】
更に、ケーソン１２の凹部３１を内側に湾曲して形成しており、ケーソン１２自体の強度を低下させることなく、アスファルトマスチック３６を充填する拡大空間部３４を確実に確保することができると共に、アスファルトマスチック３６の充填性を向上することができる。
【００３０】
図４乃至図７に本発明の他の実施形態に係る護岸構造を表す護岸の断面を示す。なお、前述した実施形態で説明したものと同様の機能を有する部材には同一の符号を付して重複する説明は省略する。
【００３１】
第２実施形態の護岸構造において、図４に示すように、護岸１１の目地部４０にて、ケーソン１２は左右の側面に内側に湾曲した凹部４１が形成されると共に、この凹部４１の前後に上下方向に沿った平坦面４２が形成されることで、各平坦面４２同士が接近して対向することで前後の狭隘空間部４３が形成されると共に、各凹部４１同士が離間して対向することで拡大空間部４４が形成されている。また、この各凹部４１は、その表面に拡大空間部４４側に突出する複数の小凸部４５が形成されている。そして、各狭隘空間部４３にゴム管３５が各平坦面４３に密着するように介装される一方、拡大空間部４４にアスファルトマスチック３６が充填され、ゴム管３５の外側にコンクリート３７が打設され、塞ぎ板３８が固定されている。
【００３２】
従って、第２実施形態の護岸構造における目地部４０にあっては、隣接するケーソン１２同士は、側面に凹部４１の拡大空間部４４に充填された距離の長いアスファルトマスチック３６により接合されることとなり、地盤沈下等により移動するケーソン１２に対してこのアスファルトマスチック３６が密着したまま伸縮して追従することとなり、護岸１１の遮水性能を向上することで、土砂や汚染物質等の外部漏洩を確実に防止することができる。また、ケーソン１２に湾曲した凹部４１を形成すると共にこの凹部４１に複数の小凸部４５を形成しており、ケーソン１２自体の強度を低下させることなく、アスファルトマスチック３６を充填する拡大空間部４４を確実に確保してアスファルトマスチック３６の充填性を向上することができると共に、小凸部４５によりケーソン１２とアスファルトマスチック３６との密着強度を向上することができる。
【００３３】
第３実施形態の護岸構造において、図５に示すように、護岸１１の目地部５０にて、ケーソン１２は左右の側面に内側に湾曲した凹部５１が形成されると共に、この凹部５１の前後に上下方向に沿った平坦面５２が形成されることで、各平坦面５２同士が接近して対向することで前後の狭隘空間部５３が形成されると共に、各凹部５１同士が離間して対向することで拡大空間部５４が形成されている。また、この各凹部５１は、その表面に内側に凹んだ複数の小凹部５５が形成されている。そして、各狭隘空間部５３にゴム管３５が各平坦面５３に密着するように介装される一方、拡大空間部５４にアスファルトマスチック３６が充填され、ゴム管３５の外側にコンクリート３７が打設され、塞ぎ板３８が固定されている。
【００３４】
従って、第３実施形態の護岸構造における目地部５０にあっては、隣接するケーソン１２同士は、側面に凹部５１の拡大空間部５４に充填された距離の長いアスファルトマスチック３６により接合されることとなり、地盤沈下等により移動するケーソン１２に対してこのアスファルトマスチック３６が密着したまま伸縮して追従することとなり、護岸１１の遮水性能を向上することで、土砂や汚染物質等の外部漏洩を確実に防止することができる。また、ケーソン１２に湾曲した凹部５１を形成すると共にこの凹部５１に複数の小凹部５５を形成しており、ケーソン１２自体の強度を低下させることなく、アスファルトマスチック３６を充填する拡大空間部５４を確実に確保してアスファルトマスチック３６の充填性を向上することができると共に、小凸部４５によりケーソン１２とアスファルトマスチック３６との密着強度を向上することができる。
【００３５】
第４実施形態の護岸構造において、図６に示すように、護岸１１の目地部６０にて、ケーソン１２は左右の側面に内側に矩形に凹んだ凹部６１が形成されると共に、この凹部６１の前後に上下方向に沿った平坦面６２が形成されることで、各平坦面６２同士が接近して対向することで前後の狭隘空間部６３が形成されると共に、各凹部６１同士が離間して対向することで拡大空間部６４が形成されている。そして、各狭隘空間部６３にゴム管３５が各平坦面６３に密着するように介装される一方、拡大空間部６４にアスファルトマスチック３６が充填され、ゴム管３５の外側にコンクリート３７が打設され、塞ぎ板３８が固定されている。
【００３６】
従って、第４実施形態の護岸構造における目地部６０にあっては、隣接するケーソン１２同士は、側面に凹部６１の拡大空間部６４に充填された距離の長いアスファルトマスチック３６により接合されることとなり、地盤沈下等により移動するケーソン１２に対してこのアスファルトマスチック３６が密着したまま伸縮して追従することとなり、護岸１１の遮水性能を向上することで、土砂や汚染物質等の外部漏洩を確実に防止することができる。また、ケーソン１２の凹部６１を矩形に凹んで形成しており、ケーソン１２の加工性を向上することができる。
【００３７】
第５実施形態の護岸構造において、図７に示すように、護岸１１の目地部７０にて、ケーソン１２は左右の側面に内側に矩形に凹んだ凹部７１が複数形成されると共に、この凹部７１の前後に上下方向に沿った平坦面７２が形成されることで、各平坦面７２同士が接近して対向することで前後の狭隘空間部７３が形成されると共に、各凹部７１同士が離間して対向することで複数の拡大空間部７４が形成されている。そして、各狭隘空間部７３にゴム管３５が各平坦面７３に密着するように介装される一方、各拡大空間部７４にアスファルトマスチック３６が充填され、ゴム管３５の外側にコンクリート３７が打設され、塞ぎ板３８が固定されている。
【００３８】
従って、第５実施形態の護岸構造における目地部７０にあっては、隣接するケーソン１２同士は、側面に複数の凹部７１によりなる拡大空間部７４に充填された距離の長いアスファルトマスチック３６で接合されることとなり、地盤沈下等により移動するケーソン１２に対してこのアスファルトマスチック３６が密着したまま伸縮して追従することとなり、護岸１１の遮水性能を向上することで、土砂や汚染物質等の外部漏洩を確実に防止することができる。また、ケーソン１２に複数の凹部７１を形成しており、ケーソン１２自体の強度を低下させることなく、アスファルトマスチック３６を充填する拡大空間部７４を確実に確保することができると共に、ケーソン１２の加工性を向上することができる。
【００３９】
なお、上述の実施形態では、ケーソン１２の凹部を各種形状に形成したが、この凹部の形状は、隣接するケーソン１２同士の側面の距離、つまり拡大空間部の幅を狭隘空間部の幅よりも大きく確保することができるものであれば、いずれの構造であっても良い。この場合、ケーソン１２の対向する側面を異なる形状としても良く、例えば、一方のケーソン１２の側面に湾曲した凹部３１を形成し、他方のケーソン１２の側面に矩形の凹部６１や複数の凹部７１を形成しても良く、上述した実施形態で説明した凹部の形状あるいはそれ以外の凹部の形状を左右非対称に設けても良い。
【００４０】
また、上述の各実施形態では、ケーソン１２の対向する側面に内側に湾曲した凹部を上下方向に沿って形成したが、前後方向に沿って形成しても良い。この場合、凹部の形状は、前述の説明のように、湾曲形状、矩形状、単数又は複数、左右対称、非対称など適宜選択すれば良い。そして、ケーソン１２の対向する側面に上下方向に沿った凹部を形成し、他方のケーソン１２の側面に前後方向に沿った凹部を形成しても良い。更に、この凹部の形成方向は、上下方向あるいは前後方向に限らず、傾斜させたり、曲線状に形成したりしても良い。
【００４１】
更に、本発明の護岸構造を構成する護岸構造物として、ケーソン１２を適用して説明したが、ケーソンに限らず、Ｌ型ブロックや逆Ｔ字ブロックなどの護岸構造物を用いても良い。そして、ケーソン１２の目地部に充填した不透水性遮水材料もアスファルトマスチックに限らず、アスファルト混合物、粘土、モルタル、コンクリート、土質系遮水材のうちの一つ、または、これらを複数組み合わせた不透水性遮水材料を用いても良いものである。
【００４２】
【発明の効果】
以上、実施形態を挙げて詳細に説明したように請求項１の発明の護岸構造によれば、海底地盤上に複数のケーソンやＬ型ブロックなどの護岸構造物を列設して構成した護岸構造にて、護岸構造物同士が互いに対向する側面に凹部を形成したので、隣接するケーソン同士は、側面に凹部が設けられているためにこの両者の間に従来より多量の充填材を充填してその接合幅を大きく確保することができ、地盤沈下等により隣接する護岸構造物が上下方向、前後方向、左右方向にずれても、充填材が護岸構造物の側面に密着したままその移動に対して伸縮して追従することとなり、護岸の遮水性能を向上することで土砂や汚染物質等の外部漏洩を確実に防止することができる。
【００４３】
請求項２の発明の護岸構造によれば、護岸構造物の目地部に、前端部及び後端部に位置して護岸構造物の側面同士が接近する前後の狭隘空間部と、前後の狭隘空間部の間に位置して護岸構造物の側面同士が離間する拡大空間部とを設けたので、充填材を拡大空間部に充填することで、護岸構造物の接合幅を大きく確保することができる。
【００４４】
請求項３の発明の護岸構造によれば、狭隘空間部に充填材漏洩防止部材を介装し、拡大空間部にアスファルト混合物、粘土、モルタル、コンクリート、土質系遮水材のうちの一つ、また、複数組み合わせた不透水性遮水材料を充填したので、充填剤漏洩防止部材により拡大空間部に充填される不透水性遮水材料の漏れを阻止し、拡大空間部に不透水性遮水材料を隙間なく充填することができる。
【００４５】
請求項４の発明の護岸構造によれば、凹部を護岸構造物の側面を湾曲して形成したので、護岸構造物自体の強度を低下させることなく、不透水性遮水材料を充填する領域を確実に確保することができると共に、不透水性遮水材料の充填性を向上することができる。
【００４６】
請求項５の発明の護岸構造によれば、凹部の表面に複数の小凹部あるいは小凸部を形成したので、護岸構造物自体の強度を低下させることなく、不透水性遮水材料を充填する領域を確実に確保して不透水性遮水材料の充填性を向上することができると共に、護岸構造物と不透水性遮水材料との密着強度を向上することができる。
【００４７】
請求項６の発明の護岸構造によれば、凹部を護岸構造物の側面に複数設けたので、護岸構造物自体の強度を低下させることなく、不透水性遮水材料を充填する領域を確実に確保することができると共に、護岸構造物の加工性を向上することができる。
【００４８】
請求項７の発明の護岸構造によれば、護岸構造物の対向する各側面に対して、凹部を対称形状に設けたので、応力が極部に集中することなく、護岸の強度を向上することができる。
【図面の簡単な説明】
【図１】図１に本発明の第１実施形態に係る護岸構造を表す護岸の断面（図２のＩ−Ｉ断面）図である。
【図２】図１のＩＩ−ＩＩ断面図である。
【図３】第１実施形態の護岸構造を適用した護岸の平面図である。
【図４】本発明の第２実施形態に係る護岸構造を表す護岸の断面図である。
【図５】本発明の第３実施形態に係る護岸構造を表す護岸の断面図である。
【図６】本発明の第４実施形態に係る護岸構造を表す護岸の断面図である。
【図７】本発明の第５実施形態に係る護岸構造を表す護岸の断面図である。
【符号の説明】
１１  護岸
１２  ケーソン（護岸構造物）
１３，４０，５０，６０，７０  目地部
３１，４１，５１，６１，７１  凹部
３２，４２，５２，６２，７２  平坦部
３３，４３，５３，６３，７３  狭隘空間部
３４，４４，５４，６４，７４  拡大空間部
３５  ゴム管（充填材漏洩防止部材）
３６  アスファルトマスチック（不透水性遮水材料）
４５  小凸部
５５  小凹部
【図１】
2005042307.tif 000003
【図２】
2005042307.tif 000004
【図３】
2005042307.tif 000005
【図４】
2005042307.tif 000006
【図５】
2005042307.tif 000007
【図６】
2005042307.tif 000008
【図７】
2005042307.tif 000009